(57)【特許請求の範囲】
【請求項１】
無線電話システムであって、
（ａ）ベース・トランシーバを備えるベース・ユニットと、
（ｂ）各電話器がトランシーバを備える、複数の無線電話器と、から成り、
各電話器に独占的データとオーディオ・パケット・タイム・スロットを割り当てるＴＤＭＡエポックに従って、時分割多重アクセス（ＴＤＭＡ）データ・リンクおよびＴＤＭＡオーディオ・リンクをベース・トランシーバを介して、ベース・ユニットと設定し、
前記データ・リンクは、シグナル情報を伝送し、
前記オーディオ・リンクは、リアルタイムでの電話の呼出しのために音声データを伝送し、
前記ベース・ユニットは、データ源からのデータを求める電話器からのリクエストの有り次第、リクエストされたデータをデータ源から検索して、検索されたデータをオーディオ・リンクを介して、電話器に伝送し、
前記エポックは、送信・受信データ行のペアを複数個、各電話器につきこのような行ペアを１個づつ備え、
前記各行ペアは、各電話器について送信データ・タイム・スロットおよび一度に通話する複数の電話器の最大数の半数について複数の送信・受信オーディオ・パケット・タイム・スロットを備える偶数行と、各電話器について受信データ・タイム・スロットおよび一度に通話する複数の電話器の最大数の他の半数について複数の送信・受信オーディオ・パケット・タイム・スロットを備える奇数行とから成り、
前記各電話器は、前記各電話器についての送信・受信データ行ペアの期間に、各エポックの間に一度だけ受信・送信データ・パケット・スロットを介して、データ・パケットを受信し、且つ送信し、そして、電話器がベース・ユニットと通信しているならば、前記各電話器は、前記エポックの各行ペアのそれぞれの送信・受信オーディオ・パケット・タイム・スロットの期間にオーディオ・パケットを受信し、且つ送信する、前記無線電話システム。
【請求項２】
前記複数の電話器が、１２台の電話器から成り、そのうち一度に８台が通話し、
前記エポックが、データ行のペアを１２個、各電話器につきデータ行ペアを１個づつ備え、
前記各行ペアが、通話中の電話器のオーディオ通信のために送信・受信オーディオ・パケット・タイム・スロットのペアを８個備える、請求項１記載の無線電話システム。
【請求項３】
前記データ源が、データを記憶するためのメモリであり、前記リクエストされたデータが、メモリ内に記憶されたデータである、請求項１記載の無線電話システム。
【請求項４】
前記ベース・ユニットが、メモリを備える、請求項３記載の無線電話システム。
【請求項５】
前記ベース・ユニットが、メモリを備える外部コンピュータに結合される、請求項３記載の無線電話システム。
【請求項６】
前記電話器が、リアルタイムの電話会議の音声データを伝送するためにオーディオ・リンクを使用していなければ、前記ベース・ユニットは、記憶された情報をオーディオ・リンクを介して、電話器に伝送し、前記電話器がリアルタイムの電話会議の音声データを伝送するためにオーディオ・リンクを使用しているならば、記憶された情報をデータ・リンクを介して、電話器に伝送する、請求項３記載の無線電話システム。
【請求項７】
前記記憶されたデータが、電話のかけ手のＩＤ情報および圧縮された音声メール・メッセージ・データの何れかである、請求項３記載の無線電話システム。
【請求項８】
前記記憶された情報をリクエストしている電話器が、記憶された情報を、受信次第、記憶された情報の性質に従って処理する、請求項７記載の無線電話システム。
【請求項９】
ベース・トランシーバを備えるベース・ユニットと、各電話器がトランシーバを備える複数の無線電話器と、から成る無線電話システムにおいて、
（ａ）前記各電話器のトランシーバを使用して、ベース・トランシーバを介して、ベース・ユニットと時分割多重アクセス（ＴＤＭＡ）データ・リンクを設定し、且つベース・ユニットと通話中の各電話器を使用して、各電話器に独占的データとオーディオ・パケット・タイム・スロットを割り当てるＴＤＭＡエポックに従って、ベース・トランシーバを介して、ベース・ユニットとＴＤＭＡオーディオ・リンクを設定するステップであって、前記データ・リンクはシグナル情報を送信し、前記オーディオ・リンクはリアルタイムでの電話の呼出しのために音声データを送信するためのものである、前記設定するステップと、
（ｂ）前記電話器を使用して、データ源からのデータを、ベース・ユニットからリクエストするステップと、
（ｃ）前記ベース・ユニットを使用して、リクエストされたデータを、リクエストに応じて、データ源から検索するステップと、
（ｄ）前記検索されたデータを、ベース・ユニットからオーディオ・リンクを介して、電話器に伝送するステップと、から成る方法であって、
エポックは、送信・受信データ行のペアを複数個、各電話器につきこのような行ペアを１個づつ備えており、
前記各行ペアは、各電話器について送信データ・タイム・スロットおよび一度に通話する複数の電話器の最大数の半数について複数の送信・受信オーディオ・パケット・タイム・スロットを備える偶数行、および各電話器について受信データ・タイム・スロットおよび一度に通話する複数の電話器の最大数の他の半数について複数の送信・受信オーディオ・パケット・タイム・スロットを備える奇数行から成り、
前記各電話器は、各電話器の送信・受信データ行ペアの期間に、各エポックの間に一度だけ、受信・送信データ・パケット・スロットを介して、データ・パケットを受信し、且つ送信し、電話器がベース・ユニットと通話しているならば、各電話器は、前記エポックの各行ペアのそれぞれの送信・受信オーディオ・パケット・タイム・スロットの期間にオーディオ・パケットを受信し、且つ送信する、前記無線電話システムにおける通信方法。
【請求項１０】
前記データ源が、データを記憶するメモリであり、リクエストされたデータが、前記メモリ内に記憶されるデータである、請求項９記載の無線電話システムにおける通信方法。
【請求項１１】
各電話器が、トランシーバを備える、複数の無線電話器と通話するベース・ユニットが、
（ａ）ベース・トランシーバを介して、各電話器と時分割多重アクセス（ＴＤＭＡ）データ・リンクを設定し、且つ独占的データおよびオーディオ・パケット・タイム・スロットを各電話器に割り当てるＴＤＭＡエポックに従って、ベース・トランシーバを介して、ＴＤＭＡオーディオ・リンクを、ベース・ユニットと通話中の各電話器と設定するベース・トランシーバであって、前記データ・リンクはシグナル情報を送信し、前記オーディオ・リンクは電話の呼出しのために音声データを送信するためのものである、前記ベース・トランシーバと、
（ｂ）記憶された情報を記憶するメモリであって、ベース・ユニットは、メモリ内に記憶された情報を求める電話器からのリクエストの有り次第、リクエストされた情報をメモリから検索し、前記情報をオーディオ・リンクを介して、電話器に伝送する、前記メモリと、
から成り、
前記エポックは、送信・受信データ行のペアを複数個、各電話器につきそのような行ペアを１個づつ備えており、
前記各行ペアは、各電話器について送信データ・タイム・スロット、および１度に通話する複数の電話器の最大値の半数について複数の送信・受信オーディオ・パケット・タイム・スロットを備える偶数行、および各電話器について１つの受信データ・タイム・スロットおよび１度に通話する複数の電話器の最大数の他の半分について複数の送信・受信オーディオ・パケット・タイム・スロットを備える奇数行から成り、
前記各電話器は、前記各電話器についての送信・受信データ行ペアの期間に、各エポックの間に一度だけ、受信・送信データ・パケット・スロットを介して、データ・パケットを受信し、且つ送信し、電話器がベース・ユニットと通話中であるならば、エポックの各行ペアのそれぞれの送信・受信オーディオ・パケット・タイム・スロットの期間に前記各電話器はオーディオ・パケットを受信し、且つ送信する、前記無線電話器と通話するベース・ユニット。
【請求項１２】
前記データ源が、データを記憶するメモリであり、リクエストされたデータが、メモリ内に記憶されるデータである、請求項１１記載の無線電話器と通話するベース・ユニット。
【請求項１３】
無線電話システムであって、
（ａ）ベース・トランシーバを備えるベース・ユニットと、
（ｂ）各電話器が、トランシーバを備え、ベース・トランシーバを介して、データ・リンクおよびオーディオ・リンクをベース・ユニットと設定する複数の無線電話器とから成り、
前記データ・リンクは、シグナル情報を送信し、前記オーディオ・リンクはリアルタイムでの電話の呼出しのために音声データを送信し、データ源からの非音声データを求める電話器からのリクエストの有り次第、ベース・ユニットはリクエストされたデータをデータ源から検索して、電話器がリアルタイムの電話会議の音声データを送信するためにオーディオ・リンクを使用していなければ、検索されたデータをオーディオ・リンクを介して、電話器に伝送し、そうでなければ、記憶された情報をデータ・リンクを介して、電話器に伝送する、前記無線電話システム。
【発明の詳細な説明】
【０００１】
産業上の利用分野
本発明は、多ライン（ｍｕｌｔｉ−ｌｉｎｅ）無線電話システムに関し、特に、時分割多重（Ｔｉｍｅ  Ｄｉｖｉｓｉｏｎ  Ｍｕｌｔｉｐｌｅｘｅｄ：ＴＤＭ）される無線電話システムにおけるデータの伝送に関する。
【０００２】
発明の背景
電話および電話システム（無線電話システムを含む）の使用が普及している。無線電話システムでは、コードレスまたはワイヤレスの電話器がアナログまたはディジタルの無線信号によりベース・ユニットと通信し、ベース・ユニットは標準電話線を介して外部のネットワーク(電話回線)に接続される。このようにして、使用者は無線電話器を使用して、ベース・ユニットおよびネットワークを通して別の使用者と通話する。
【０００３】
多ライン無線電話システムは、多数の電話の使用者とのビジネスのような、種々の状況で使用されている。このようなシステムでは、典型的に、広帯域、時分割多重アクセス（Ｔｉｍｅ  Ｄｉｖｉｓｉｏｎ  Ｍｕｌｔｉｐｌｅ  Ａｃｃｅｓｓ：ＴＤＭＡ）のようなディジタル通信スキームにより、Ｎ個の電話器と同時に通話する電話器が使用される。ＴＤＭＡシステムでは、単一のＲＦチャンネルが使用され、各電話器は、全ＴＤＭＡサイクル（ｃｙｃｌｅ）またはエポック（ｅｐｏｃｈ）内で専用のタイム・スライスまたはスロットの間にオーディオ・データ・パケットおよび非オーディオ・データ・パケットを送信する。多ライン無線電話システムでは、種々の特徴、例えば、構内交換機（Ｐｒｉｖａｔｅ  Ｂｒａｎｃｈ  Ｅｘｃｈａｎｇｅ：ＰＢＸ）の特徴および機能を提供することが望ましい。また、非オーディオ・データをＲＦチャンネルで送信あるいは受信することが望ましい。例えば、ベース・ユニット内にあるいはベース・ユニットに結合されるデバイス内に貯えられる音声メールあるいは電話のかけ手のＩＤデータのような、貯えられたデータを検索することが電話器に要求される。
欧州特許出願Ｎｏ．０３９９６１１（１９９０年５月２２日出願）は、１次ステーションと２次ステーション間で順方向および逆方向の伝送にＴＤＭＡが使用される、時分割二重周波数チャンネルによるデータ伝送用の通信システムについて述べている。
【０００４】
発明の概要
無線電話システムは、ベース・ユニットと複数の無線電話器から成る。ベース・ユニットは、ベース・トランシーバおよび情報を記憶するメモリを備える。各電話器は、トランシーバを備え、ベース・トランシーバを介して、共有無線（ＲＦ）チャンネル（ｓｈａｒｅｄ  ＲＦ  ｃｈａｎｎｅｌ）におけるデータ・リンクおよびオーディオ・リンクをベース・ユニットと設定する。データ・リンクは、シグナル情報を送信し、オーディオ・リンクは、電話による会議をリアルタイム（実時間）でするために音声データを送信するためのものである。電話器は、或る記憶された情報をベース・ユニットからリクエストする。それに応じて、ベース・ユニットは、記憶されているリクエストされた情報をメモリから取り出し、前記情報をオーディオ・リンクを介して、電話器に送信する。
請求の範囲と実施例との対応関係を図面で使われている参照符号で示すと次の通りである。
（請求項１）  無線電話システム（１００）であって、
（ａ）ベース・トランシーバ（１１１、１１２）を備えるベース・ユニット（１１０）と、
（ｂ）各電話器（１２０ｉ）がトランシーバ（１２１、１２２）を備える、複数の無線電話器（１２０）と、から成り、
各電話器（１２０ｉ）に独占的データとオーディオ・パケット・タイム・スロットを割り当てるＴＤＭＡエポック（２００）に従って、時分割多重アクセス（ＴＤＭＡ）データ・リンクおよびＴＤＭＡオーディオ・リンクをベース・トランシーバを介して、ベース・ユニット（１１０）と設定し、
前記データ・リンクは、シグナル情報を伝送し、
前記オーディオ・リンクは、リアルタイムでの電話の呼出しのために音声データを伝送し、
前記ベース・ユニット（１１０）は、データ源からのデータを求める電話器（１２０ｉ）からのリクエストの有り次第、リクエストされたデータをデータ源から検索して、検索されたデータをオーディオ・リンクを介して、電話器（１２０ｉ）に伝送し、
前記エポック（２００）は、送信・受信データ行のペアを複数個、各電話器（１２０ｉ）につきこのような行ペアを１個づつ備え、
前記各行ペアは、各電話器について送信データ・タイム・スロットおよび一度に通話する複数の電話器の最大数の半数について複数の送信・受信オーディオ・パケット・タイム・スロットを備える偶数行と、各電話器について受信データ・タイム・スロットおよび一度に通話する複数の電話器の最大数の他の半数について複数の送信・受信オーディオ・パケット・タイム・スロットを備える奇数行とから成り、
前記各電話器（１２０ｉ）は、前記各電話器についての送信・受信データ行ペアの期間に、各エポック（２００）の間に一度だけ受信・送信データ・パケット・スロット（２５１、２５２）を介して、データ・パケットを受信し、且つ送信し、そして、電話器がベース・ユニットと通信しているならば、前記各電話器は、前記エポックの各行ペアのそれぞれの送信・受信オーディオ・パケット・タイム・スロット（２５３、２５４）の期間にオーディオ・パケットを受信し、且つ送信する、前記無線電話システム（１００）。
（請求項２）  前記複数の電話器（１２０）が、１２台の電話器から成り、そのうち一度に８台が通話し、
前記エポック（２００）が、データ行のペアを１２個、各電話器につきデータ行ペアを１個づつ備え、
前記各行ペアが、通話中の電話器のオーディオ通信のために送信・受信オーディオ・パケット・タイム・スロットのペアを８個備える、請求項１記載の無線電話システム。
（請求項３）  前記データ源が、データを記憶するためのメモリ（１１８）であり、前記リクエストされたデータが、メモリ内に記憶されたデータである、請求項１記載の無線電話システム。
（請求項４）  前記ベース・ユニット（１１０）が、メモリ（１１８）を備える、請求項３記載の無線電話システム。
（請求項５）  前記ベース・ユニット（１１０）が、メモリ（１１８）を備える外部コンピュータに結合される、請求項３記載の無線電話システム。
（請求項６）  前記電話器が、リアルタイムの電話会議の音声データを伝送するためにオーディオ・リンクを使用していなければ、前記ベース・ユニット（１１０）は、記憶された情報をオーディオ・リンクを介して、電話器（１２０ｉ）に伝送し、前記電話器がリアルタイムの電話会議の音声データを伝送するためにオーディオ・リンクを使用しているならば、記憶された情報をデータ・リンクを介して、電話器に伝送する、請求項３記載の無線電話システム。
（請求項７）  前記記憶されたデータが、電話のかけ手のＩＤ情報および圧縮された音声メール・メッセージ・データの何れかである、請求項３記載の無線電話システム。
（請求項８）  前記記憶された情報をリクエストしている電話器が、記憶された情報を、受信次第、記憶された情報の性質に従って処理する、請求項７記載の無線電話システム。
（請求項９）  ベース・トランシーバ（１１１、１１２）を備えるベース・ユニット（１１０）と、各電話器（１２０ｉ）がトランシーバ（１２１、１２２）を備える複数の無線電話器（１２０）と、から成る無線電話システムにおいて、
（ａ）前記各電話器のトランシーバを使用して、ベース・トランシーバを介して、ベース・ユニットと時分割多重アクセス（ＴＤＭＡ）データ・リンクを設定し、且つベース・ユニットと通話中の各電話器を使用して、各電話器（１２０ｉ）に独占的データとオーディオ・パケット・タイム・スロットを割り当てるＴＤＭＡエポック（２００）に従って、ベース・トランシーバを介して、ベース・ユニットとＴＤＭＡオーディオ・リンクを設定するステップであって、前記データ・リンクはシグナル情報を送信し、前記オーディオ・リンクはリアルタイムでの電話の呼出しのために音声データを送信するためのものである、前記設定するステップと、
（ｂ）前記電話器を使用して、データ源からのデータを、ベース・ユニットからリクエストするステップと、
（ｃ）前記ベース・ユニットを使用して、リクエストされたデータを、リクエストに応じて、データ源から検索するステップと、
（ｄ）前記検索されたデータを、ベース・ユニットからオーディオ・リンクを介して、電話器に伝送するステップと、から成る方法であって、
エポック（２００）は、送信・受信データ行のペアを複数個、各電話器（１２０ｉ）につきこのような行ペアを１個づつ備えており、
前記各行ペアは、各電話器について送信データ・タイム・スロットおよび一度に通話する複数の電話器の最大数の半数について複数の送信・受信オーディオ・パケット・タイム・スロットを備える偶数行、および各電話器について受信データ・タイム・スロットおよび一度に通話する複数の電話器の最大数の他の半数について複数の送信・受信オーディオ・パケット・タイム・スロットを備える奇数行から成り、
前記各電話器（１２０ｉ）は、各電話器の送信・受信データ行ペアの期間に、各エポック（２００）の間に一度だけ、受信・送信データ・パケット・スロット（２５１、２５２）を介して、データ・パケットを受信し、且つ送信し、電話器がベース・ユニットと通話しているならば、各電話器は、前記エポックの各行ペアのそれぞれの送信・受信オーディオ・パケット・タイム・スロット（２５３、２５４）の期間にオーディオ・パケットを受信し、且つ送信する、前記無線電話システムにおける通信方法。
（請求項１０）  前記データ源が、データを記憶するメモリであり、リクエストされたデータが、前記メモリ内に記憶されるデータである、請求項９記載の無線電話システムにおける通信方法。
（請求項１１）  各電話器（１２０ｉ）が、トランシーバ（１２１、１２２）を備える、複数の無線電話器（１２０）と通話するベース・ユニット（１１０）が、
（ａ）ベース・トランシーバを介して、各電話器と時分割多重アクセス（ＴＤＭＡ）データ・リンクを設定し、且つ独占的データおよびオーディオ・パケット・タイム・スロットを各電話器（１２０ｉ）に割り当てるＴＤＭＡエポック（２００）に従って、ベース・トランシーバを介して、ＴＤＭＡオーディオ・リンクを、ベース・ユニットと通話中の各電話器と設定するベース・トランシーバ（１１１、１１２）であって、前記データ・リンクはシグナル情報を送信し、前記オーディオ・リンクは電話の呼出しのために音声データを送信するためのものである、前記ベース・トランシーバ（１１１、１１２）と、
（ｂ）記憶された情報を記憶するメモリ（１１８）であって、ベース・ユニットは、メモリ内に記憶された情報を求める電話器からのリクエストの有り次第、リクエストされた情報をメモリから検索し、前記情報をオーディオ・リンクを介して、電話器に伝送する、前記メモリ（１１８）と、
から成り、
前記エポック（２００）は、送信・受信データ行のペアを複数個、各電話器（１２０ｉ）につきそのような行ペアを１個づつ備えており、
前記各行ペアは、各電話器について送信データ・タイム・スロット、および１度に通話する複数の電話器の最大値の半数について複数の送信・受信オーディオ・パケット・タイム・スロットを備える偶数行、および各電話器について１つの受信データ・タイム・スロットおよび１度に通話する複数の電話器の最大数の他の半分について複数の送信・受信オーディオ・パケット・タイム・スロットを備える奇数行から成り、
前記各電話器（１２０ｉ）は、前記各電話器についての送信・受信データ行ペアの期間に、各エポック（２００）の間に一度だけ、受信・送信データ・パケット・スロット（２５１、２５２）を介して、データ・パケットを受信し、且つ送信し、電話器がベース・ユニットと通話中であるならば、エポックの各行ペアのそれぞれの送信・受信オーディオ・パケット・タイム・スロット（２５３、２５４）の期間に前記各電話器はオーディオ・パケットを受信し、且つ送信する、前記無線電話器と通話するベース・ユニット（１１０）。
（請求項１２）  前記データ源が、データを記憶するメモリであり、リクエストされたデータが、メモリ内に記憶されるデータである、請求項１１記載の無線電話器と通話するベース・ユニット。
（請求項１３）  無線電話システム（１００）であって、
（ａ）ベース・トランシーバ（１１１、１１２）を備えるベース・ユニット（１１０）と、
（ｂ）各電話器（１２０ｉ）が、トランシーバ（１２１、１２２）を備え、ベース・トランシーバを介して、データ・リンクおよびオーディオ・リンクをベース・ユニット（１１０）と設定する複数の無線電話器（１２０）とから成り、
前記データ・リンクは、シグナル情報を送信し、前記オーディオ・リンクはリアルタイムでの電話の呼出しのために音声データを送信し、データ源からの非音声データを求める電話器（１２０ｉ）からのリクエストの有り次第、ベース・ユニット（１１０）はリクエストされたデータをデータ源から検索して、電話器がリアルタイムの電話会議の音声データを送信するためにオーディオ・リンクを使用していなければ、検索されたデータをオーディオ・リンクを介して、電話器（１２０ｉ）に伝送し、そうでなければ、記憶された情報をデータ・リンクを介して、電話器に伝送する、前記無線電話システム（１００）。
【０００５】
発明の実施の態様
図１に、本発明の実施例に従う、ＴＤＭＡ多ライン無線電話システム１００のブロック図を示す。ＴＤＭＡシステム１００はベース・ユニット１１０を備える。ベース・ユニット１１０は受信器１１２と送信器１１１を備え、電話線１１５を介して外部ネットワーク１１６に結合される。ベース・ユニット１１０は、メモリすなわち蓄積デバイス１１８（例えば、ＲＡＭまたはハードディスク・ドライブ）を備え、蓄積されたデータを貯える。またシステム１００はＮ個の無線電話器１２０1、１２０2．．．１２０Nを備える。各電話器は、電話器１２０1の送信器１２１と受信器１２２のような、送信／受信ユニット（トランシーバ：ｔｒａｎｓｃｅｉｖｅｒ）を備える。あるときには、これらの電話器のうちいくつかが作動しており、すなわち、フックから外されており（電話が呼出し中である）、あるときには、どの電話器も作動していない。従って、システム１００はベース・ステーション１１０と各電話器１２０i（１ ≦ ｉ ≦ Ｎ）との間で無線ネットワークを提供する。１つの実施例で、システム１００は４個の電話器１２０1〜 １２０4を備え、それらがすべて同時に作動できる。別の実施例で、システム１００は別の数（例えば、Ｎ＝１２）の電話器を備え、そのうち一度に８台までは作動できる。
【０００６】
或る実施例では、本発明はＴＤＭＡシステムを備え、１つのＲＦチャンネルで多数のトランシーバを１つのベース・ステーションに接続する。特に、システム１００はディジタル式ＴＤＭＡスキーム（以下に詳細に述べる）を使用し、これにより、ＴＤＭＡエポック（ｅｐｏｃｈ）の大部分の間、各電話器は「オフ」に（すなわち、データを送受信しておらず、バッテリの電力をあまり使用していない状態に）なっており、それ自身のタイム・スライスまたはスロットの間のみ「オン」になっているので、電力が能率的に使用される。別の実施例では、電話器は、少なくともそのＣＰＵ（Ｃｅｎｔｒａｌ  Ｐｒｏｃｅｓｓｉｎｇ  Ｕｎｉｔ）およびトランシーバ（受信器と送信器）ユニットへの電源スイッチを切ることでオフになり、クロックおよび関連するタイマーあるいは監視回路のみがオンにされ、所定のスロット・タイムにおいてＣＰＵを起動（ｗａｋｅ  ｕｐ）させるのに十分なだけの電力が供給されている。
【０００７】
図２は、本発明の実施例に従い、図１のシステムのＴＤＭＡスキームで使用されるＴＤＭＡスロット構造２００を概略図で表す。ＴＤＭＡ多ライン無線電話システム１００は、構造２００を有するＴＤＭＡエポック（ｅｐｏｃｈ）を使用し、全部で１２台の電話器１２０1〜１２０12のうち８台、電話器１２０1〜１２０8が一度に動作できるものとする。ＴＤＭＡエポック構造２００は多数の行と列から成る。ＴＤＭＡ構造２００の各行は２ｍｓフィールドのディジタル・データを表し、奇数または偶数であり、奇数行または偶数行（フィールド）でペアを成す。ＴＤＭＡエポック構造２００は４８ｍｓエポックである。
【０００８】
通常動作モードで、各フィールドは全部で９個のパケットから成る：第１列の（非オーディオ）データ・パケット（ベースからまたは電話器から送信される）および８個のオーディオ・パケット（２つで４つのペアを成す）。１行におけるこのような各ペアのオーディオ・パケットには、１パケット（タイム・スロット）のベース・オーディオ伝送（ベース・ユニット１１０から電話器へ）および１パケットの電話器オーディオ伝送（電話器からベースへ）が含まれる。従って、各エポック内で、１ペアのデータ・パケット・スロットと数ペアのオーディオ・パケット・スロットが各電話器に割り当てられる。これらのデータ・パケット・スロットは、それぞれの各電話器と共に「データ・リンク」を設定するために使用され、これらのオーディオ・パケット・スロットはそれぞれの各電話器と共に「オーディオ・リンク」を設定するために使用される。これらのデータ・リンクは共に、システムのデータ・チャンネルを構成し、一方、オーディオ・リンクはシステムのオーディオ・チャンネルを構成する。換言すると、ＴＤＭＡのエポック構造２００の第１列はデータ・チャンネル（データ・リンク）に対応し、残りの列はオーディオ・チャンネル（オーディオ・リンク）に対応している。
【０００９】
電話器のデータ・リンクを使用して、非オーディオ・データ（ここでは、シグナル情報と称す）をデータ・パケットを介して伝送する。各データ・パケットは一組のデータであって、個別のタイム・スロットの間に、電話器からベース・ユニットへ、あるいはベース・ユニットから電話器に、伝送される。その個別のタイム・スロットの間、他の電話器はこのシステムのデータ・チャンネルでデータを送信も受信もしない。これらのデータ・パケットの中には種々のデータ、例えば、睡眠モードで電話器に伝送されるタイム・スタンプ情報を持つ同期データまたはワード、電話のかけ手のＩＤ情報、入来する呼出し情報、電話器でダイアルされている電話番号など、が入っている。データ・リンクで送られるこのシグナル情報を使用して、呼出しをセットアップし、入来する呼出しを電話器に知らせ、電話器とベース間の通話リンクを維持する。
【００１０】
音声データ（すなわち、リアルタイムでの電話の会話のオーディオ・データを含んでいるオーディオ・パケット）は、電話器のオーディオ・リンクで伝送される。電話器のオーディオ・リンクの帯域幅はデータ・リンクの帯域幅よりもずっと広い。その理由は、各エポック内で、各電話器に１ペアのデータ・パケット・スロットと数ペアのオーディオ・パケット・スロットが割り当てられているからである。例えば、Ｎ＝１２で、全部の電話器は１２０1〜 １２０12、一度に８台までが作動されると、１エポック１電話器につき１２ペアのオーディオ・パケットがあり、これに対し、オーディオ・チャンネル（リンク）の帯域幅がデータ・チャンネル（リンク）の帯域幅の１２倍であれば、１エポック１電話器につき１ペアのデータ・パケットである。オーディオ・パケットには、ディジタル化された（そして多分、圧縮された）音声情報が入っている。
【００１１】
従って、例えば、０行のペアは偶数行と奇数行から成る。この偶数行で、ベースは第１のタイム・スロット（スロット２５１）のデータを１２台の電話器のうち１台（例えば、電話器１２０1）に伝送する。各電話器について、エポック２００内に１つの行ペアがあり、各電話器は１エポックに一度データを受信し且つベース・ユニット１１０に送信することができる。第１のデータ・スロット２５１の後、電話器１２０1は作動している（オフ・フック）と仮定し、オーディオ・パケットがオーディオ・パケット・スロット２５３で電話器１２０1に伝送され、それから、他の３台の電話器について、オーディオ・パケットがオーディオ・パケット・スロット２５４で電話器１２０1によってベース・ユニット１１０に伝送され、そのフィールドまたは行の終わりに至る。０行ペアの奇数行で、データ・スロット２５２が使用されて、電話器１２０1からベース・ユニット１１０に送信されたデータを受け取り、残りの４台の動作中の電話器に対してオーディオ・パケットが送信される。１〜１１行のペアにおいも同じシーケンスが起こるが、データ・パケットは、０行ペアの場合とは異なる別の電話器から別の電話器に伝送される。
【００１２】
電話器の使用者は、ベース・ユニット１１０のメモリ１１８内に貯えられているデータを検索できることが望ましい。この情報は、典型的にデータ・リンクを介して伝送されるシグナル・データおよびオーディオ・リンクを介して伝送される音声データに付加されるものである。貯えられたデータには、ベース・ユニット内で利用できるすべての貯えられた／バックアップされた情報が含まれている。この情報は、音声、データ、または他のサービス情報を表している。例えば、貯えられたデータは、音声メール情報、電話のかけ手のＩＤ情報、または他のサービス情報である。
【００１３】
このような貯えられた情報は典型的に、電話器によってそのデータ・リンクを介してリクエストされる。リクエスト自体は一種のシグナル情報であるからである。貯えられたデータは、同時発生の電話の呼出しに関連するオーディオ・データではないので、データ・リンクを介して伝送される。しかしながら、これは、データ・リンクの帯域幅がオーディオ・リンクの帯域幅よりも狭いので、実用的でなく、望ましくない。従って、この発明では、貯えられた情報が電話器によってリクエストされると、オーディオ・リンクは一時的に、「貯えられたデータ・リンク」に変換され、音声データの伝送は一時的に停止され（消音されまたは中断され）、貯えられたデータは、その電話器のオーディオ・データ・スロットの間、電話器に転送される。このため、貯えられたデータは、比較的狭い帯域幅のデータ・リンクを使用したときよりもずっと早い速度で伝送される。
【００１４】
本発明では、最初に、電話器１２０iは貯えられたデータをベース・ユニット１１０からリクエストする。次にベース・ユニットはその貯えられたデータをメモリ１１８から持ってきて、それをディジタル情報として電話器１２０iの音声リンクの中へ組み入れる。電話器１２０iはそのリクエストについての情報（ｋｎｏｗｌｅｄｇｅ）があるので、そのオーディオ・リンクで予期される貯えられたデータがどのようなタイプのものであるかを知り、従って、その貯えられた情報が受信されたときに使用すべき復号化または処理のタイプを知る。
【００１５】
例えば、音声メール・メッセージを検索しようとする場合、電話器１２０iはその音声メール・メッセージに対する適正なリクエストを、そのデータ・リンクを介して、ベース・ユニット１１０に伝送する。ベース・ユニット１１０は、貯えられた音声メール・データを引き出す。このデータはメモリ１１８を効率的に使用するために圧縮された形で貯えられる。リクエストされた音声メール・メッセージを表している、この圧縮されたディジタル情報は、次に、そのデータ・リンクを介さずに、そのオーディオ・リンクを介して電話器１２０iに伝送される。次に電話器１２０iは、そのオーディオ・リンクを介して受け取ったデータを、その音声復元エンジンを通して処理する。電話のかけ手のＩＤ情報が検索されると、オーディオ・リンク通って来るデータは適正に処理されて、電話器のディスプレイに表示される。
【００１６】
従って、本発明は、無線システムにおいて情報の検索のために非対称のリンクを作り出し、利用できる帯域幅が効率よく使用できるようにする。
【００１７】
別の実施例では、オーディオ・リンクが使用されて、貯えられたデータを、それがすでに使用されていない場合にのみ、検索する。この場合、データ・リンクが電話器によって使用され、貯えられたデータの検索をリクエストする。もしオーディオ・リンクを電話器が使用中であれば、貯えられたデータを電話器に伝送するためにデータ・リンクが使用される。しかしながら、オーディオ・リンクが使用中でなければ、代りに、オーディオ・リンクが、貯えられたデータをより高いレート（ｒａｔｅ：速度）で伝送するために、“貯えられたデータ（ｓｔｏｒｅｄ  ｄａｔａ）”のリンクとして使用される。
【００１８】
別の実施例では、電話器によって検索される貯えられた情報は実際には、ベース・ユニット１１０内に貯えられておらず、ベース・ユニット１１０の外部のデバイス、例えば、外部のＰＣまたは蓄積デバイス（適当なインタフェースによってベース・ユニット１１０に結合される）内に貯えられている。この場合、貯えられた情報は、ベース・ユニットを介して、蓄積デバイスから電話器によって引き出され、蓄積デバイスは、ベース・ユニット１１０内に在っても、ベース・ユニット１１０で直接アクセスできても、あるいは何かインタフェースを介してベース・ユニット１１０でアクセスできても、メモリ１１８と同じものであると見做される。従って、リクエストの有り次第ベース・ユニットが貯えられたデータを供給できるようにベース・ユニット１１０内に直接貯えられた情報、あるいはベース・ユニットに機能的に結合されたデバイス内に貯えられた情報は、いかなる情報も、ベース・ユニット１１０内に貯えられた情報と見做される。電話器の観点から、リクエストはベース・ユニット１１０で作られ、ベース・ユニット１１０より提供される情報はベース・ユニット１１０内に貯えられているように見えるからである。
【００１９】
本発明の原理により上述した無線システムは移動電話システムであって、ベース・ユニット１１０は移動電話ネットワーク（ｃｅｌｌｕｌａｒ  ｔｅｌｅｐｈｏｎｅ  ｎｅｔｗｏｒｋ）内のセル（ｃｅｌｌ、通話可能範囲）のうちの１つを担当するベース・ステーション（ｂａｓｅ  ｓｔａｔｉｏｎ）を表していることを、当業者は認識するであろう。
【００２０】
別の実施例では、メモリ１１８内に実際に貯えられたデータを電話器がオーディオ・リンクで検索する代りに、ベース・ユニット１１０にアクセスできるデータ源から電話器がデータを検索することが望まれる。例えば、ベース・ユニット１１０は外部のラインを介して、データを含んでいるモデム信号を受け取る。この場合、電話器は、例えば、コンピュータの電話データ・ポートに結合される。電話器は、データ源またはチャンネル（モデムにより提供される）に接続されるベース・ユニット１１０からリクエストする。次にベース・ユニット１１０は、モデムから復号されたデータを、オーディオ・リンクを介して、電話器に伝送する。
【図面の簡単な説明】
【図１】  図１は、本発明の実施例に従う、ＴＤＭＡ多ライン無線電話システムのブロック図である。
【図２】  図２は、本発明の実施例に従う、図１のシステムのＴＤＭＡスキームにおいて使用されるＴＤＭＡスロット構造の概略図である。
【符号の説明】
１１０  ベース・ユニット
１１１  送信器
１１２  受信器
１１６  外部ネットワーク
１２１  送信器
１２２  受信器
【図１】
0004043190.tif 000002
【図２】
0004043190.tif 000003